(57)【要約】【課題】安定して操作することができ、操作者の熟練に依らず良好な光ファイバの切断端部が得られ、また、光ファイバの被覆を除去することができる光ファイバ剥き折り部品および光ファイバ剥き折り方法を提供する。【解決手段】被覆光ファイバを収容可能な溝部と、当該溝部内に一体的に設けられた光ファイバ切断刃および被覆除去刃と、中間部に屈折部とを備えた樹脂材料からなる第一部材と、第一部材に対向して配置される、被覆ファイバを収容可能で第一部材の溝部に対応する溝部と、当該溝部内に一体的に設けられた第一部材の被覆除去刃と対応する被覆除去刃と、中間部に第一部材の屈折部と対応する屈折部とを備えた樹脂材料からなる第二部材とからなる光ファイバ剥き折り部品。【選択図】図１
2007156386.tif 000002
【特許請求の範囲】
【請求項１】
長手方向にのび被覆光ファイバを収容可能な溝部と、当該溝部内に一体的に設けられた光ファイバ切断刃、および該光ファイバ切断刃と間隔を隔てて前記溝部内に一体的に設けられた被覆除去刃、中間部に屈折部とを備えた樹脂材料からなる第一部材と、前記第一部材に対向して配置される、被覆ファイバを収容可能で前記第一部材の溝部に対応する溝部と、当該溝部内に一体的に設けられた前記第一部材の被覆除去刃と対応する被覆除去刃と、中間部に前記第一部材の屈折部と対応する屈折部とを備えた樹脂材料からなる第二部材とからなる光ファイバ剥き折り部品。
【請求項２】
前記中間部の前記各屈折部が肉厚の小さい連結部からなっており、前記連結部によって第一部材の一方の部材および他方の部材、並びに、第二部材の一方の部材および他方の部材がそれぞれ連結されていることを特徴とする、請求項１に記載の光ファイバ剥き折り部品。
【請求項３】
前記連結部の厚さが、０．４から２．０ｍｍの範囲内である、請求項２に記載の光ファイバ剥き折り部品。
【請求項４】
前記第一部材および前記第二部材を対向配置したときに、前記第一部材および第二部材の各一方の部材における、前記光ファイバ切断刃と前記被覆除去刃の間に所定の空間部を備えていることを特徴とする、請求項２または３に記載の光ファイバ剥き折り部品。
【請求項５】
第一部材と第二部材の対向するそれぞれの対向面を当接させたときに、前記光ファイバ切断刃は、前記刃自体が変形するまで前記溝部に収納された光ファイバに押し付けられて前記光ファイバに傷をつける高さを有しており、前記第一部材および第二部材の各被覆除去刃の間隔は、前記光ファイバ心線の直径に概ね一致していることを特徴とする、請求項２から４の何れか1項に記載の光ファイバ剥き折り部品。
【請求項６】
前記樹脂材料が、エポキシ系、または、ＰＰＳ（ポリフェニレンサルファイド）系合成樹脂からなり、ガラスフィラー６０％以上を含有することを特徴とする、請求項１から５の何れか1項に記載の光ファイバ剥き折り部品。
【請求項７】
前記溝部がそれぞれ平らな底面、および、前記底面から傾斜した両側面からなっており、前記光ファイバ切断刃が前記溝部内に位置し、刃の頂部が前記第一部材の表面と概ね一致して形成されていることを特徴とする請求項５に記載の光ファイバ剥き折り部品。
【請求項８】
前記溝部がそれぞれ平らな底面、および、前記底面から傾斜した両側面からなっており、前記光ファイバ切断刃が前記溝部内に位置し、刃の頂部が前記第二部材の溝部内に突出して形成されていることを特徴とする請求項５に記載の光ファイバ剥き折り部品。
【請求項９】
前記被覆除去刃の前記間隔が０．１２８から０．１４０ｍｍの範囲内であることを特徴とする請求項５または７に記載の光ファイバ剥き折り部品。
【請求項１０】
前記光ファイバ切断刃および前記被覆除去刃の先端部の角度が１０から４５度の範囲内である、請求項７から９の何れか１項に記載の光ファイバ剥き折り部品。
【請求項１１】
前記第二部材の一方の部材が、他方の部材に対向する対向面側にテーパ部を備えていることを特徴とする請求項１から１０の何れか１項に記載の光ファイバ剥き折り部品。
【請求項１２】
前記光ファイバ切断刃および/または前記被覆除去刃が設けられていない前記第一部材および前記第二部材のそれぞれの部分の溝部内の対応する少なくとも１つの部位に、被覆光ファイバを保持する突起部を備えていることを特徴とする請求項１から１１の何れか１項に記載の光ファイバ剥き折り部品。
【請求項１３】
前記突起部の高さが０．０１から０．０５ｍｍの範囲内であることを特徴とする請求項１２に記載の光ファイバ剥き折り部品。
【請求項１４】
前記第二部材の溝部内における前記光ファイバ切断刃に対抗する部位に、ステージが設けられていることを特徴とする、請求項１から１３の何れか１項に記載の光ファイバ剥き折り部品。
【請求項１５】
被覆光ファイバを収容可能な溝部と、当該溝部内に一体的に形成された光ファイバ切断刃および被覆除去刃と、中間部に屈折部とを備えた樹脂材料からなる第一部材と、被覆ファイバを収容可能で前記第一部材の溝部に対応する溝部と、当該溝部内に一体的に設けられた前記第一部材の被覆除去刃と対応する被覆除去刃と、中間部に前記第一部材の屈折部と対応する屈折部とを備えた樹脂材料からなる第二部材とを対向配置し、前記溝部に被覆光ファイバを収容し、
前記中央部において、前記下部材と前記上部材を所定の力で押圧して、前記光ファイバ切断刃を、前記刃自体が変形するまで光ファイバに押し付けて前記光ファイバに傷をつけ、
前記屈折部において、前記光ファイバ切断刃によって傷が付いた光ファイバの部位に張力を付加して、傷と反対側に曲げて、光ファイバを切断し、同時に、前記被覆除去刃によって、光ファイバの被覆を除去する、光ファイバ剥き折り方法。
【発明の詳細な説明】
【技術分野】
【０００１】
本発明は光ファイバ剥き折り部品および光ファイバ剥き折り方法に関し、特に、簡単な操作で光ファイバが切断されて劈開面が得られ、また光ファイバの被覆が除去されることができる光ファイバ剥き折り部品および光ファイバ剥き折り方法に関する。
【背景技術】
【０００２】
光ファイバ切断器には高性能型と簡易型がある。簡易型は光ファイバを曲げ板に載置し、その端をクランプして切断位置に傷をつけ、曲げ板ごと光ファイバを湾曲させて劈開する構造で、良好な切断角度を得るには操作者に習熟が必要であるが、安価であることから広く使われている。
低い接続損失で光ファイバを接続するには、融着、コネクタ等で接続するメカニカルスプライスを問わず良好な光ファイバの切断端部（切断角度、断面粗さ等）で切断する必要がある。そのため、作業者の熟練によらず良好な切断端部が得られる高性能型が主流であった。
【０００３】
各需要家まで光ファイバを敷設するFTTH（Fiber To The Home）の普及に伴い、融着機には電柱上や需要家等でハンディに扱える簡易タイプが現われたが、光ファイバ切断器は融着接続やメカニカルスプライス時の接続損失の要求レベルが高くなっており、主に高性能型が用いられていた。高性能型のものは操作者の熟練に依らず良好な光ファイバの切断端部を得ることができ、例えば、特開平１−１１２２０６号公報あるいは特開平１−１２６６０１号公報に開示されている。
【０００４】
近年、各需要家への光ファイバの敷設工事は増えてきており、多数の敷設工事箇所に対して多数の光ファイバ切断器が必要となってきている。ところが高性能型のものは非常に高価であるため、各々の敷設工事箇所に対して多数の高性能型の光ファイバ切断器を配置するとなるとコストは非常に多額となる。よって、高性能型と比較しコストのかからない簡易型の光ファイバ切断器に対しても操作者の熟練に依らず良好な光ファイバの切断端部が得られることが求められるようになってきた。
【０００５】
例えば、電柱近傍に配設されたクロージャ内に収納された光ファイバの端部に光コネクタ等の接続部を設けるにあたり、光ファイバを切断する際、従来は金属製の刃が設けられた工具（カッタ）を用いていた。
【０００６】
この工具は、光ファイバに、光ファイバの長手方向軸線に対し垂直な方向に先ず傷を入れてから、これを劈開して切断するもので、ある程度の熟練が必要であり、作業者によっては上手く切断できないことがあった。
【０００７】
特開昭６２−２３１２０３号公報には、従来の簡易型の光ファイバ切断器が開示されている。図９は、従来の光ファイバ切断器を示す斜視図である。図示しないが、光ファイバ心線は光ファイバ切断器の長手方向に沿って配置される。従来の光ファイバ切断器は、支持板１１２のブラケット１１２ａに軸支され図示しない光ファイバを押さえるクランプレバー１１４と、ブラケット１１２ａに軸支されバイトブロック１１６が取り付けられたバイトアーム１４６と、支持板１１２に取り付けられた引張曲げ応力付与手段１２０とを備えている。この光ファイバ切断器によって次の通り光ファイバ心線が切断される。
【０００８】
切断すべき部分が皮剥ぎによって露出された光ファイバを光ファイバ受け部材１３６の係入溝１５２に係入し、クランプレバー１１４をバネ１２６に抗して持ち上げて心線をクランプレバー１１４のゴム板１２４と支持板１１２のゴム板１２２との間に挟む。次いで、バイトアーム１４６をバネ１２８に抗して押し下げてバイトブロック１１６内のバイト（刃）を心線を介してゴム層１４２の上に押し付ける。これによって心線に切り込みが設けられ、次いで、光ファイバと共にファイバ受け部材１３６を支持軸１３２を中心にバネ１３８に抗して下向きに枢動させる。従って、心線はローラ１４０を支点として曲げが与えられて引張応力が与えられて心線が切断される。
【特許文献１】特開昭６２−２３１２０３号公報
【特許文献２】特開平１−１１２２０６号公報
【特許文献３】特開平１−１２６６０１号公報
【発明の開示】
【発明が解決しようとする課題】
【０００９】
上述したように、光ファイバを敷設工事が増え、簡易型の光ファイバ切断器に対しても操作者の熟練に依らず良好な光ファイバの切断端部が得られることが求められるようになってきた。それに伴って、従来の簡易型の光ファイバ切断器においては、光ファイバに傷をつけるための金属刃、ダイヤモンド刃が取り付けられていたが、これら金属刃を使用すると、光ファイバに過度の傷が付いて使用に適さなかったり、例えば暗闇の中での操作時には作業が困難であるという問題点があった。
【００１０】
また、光ファイバの切断と合わせて光ファイバの被覆の除去を同時に容易に行うことができなかった。
【００１１】
従って、この発明の目的は、安定して操作することができ、操作者の熟練に依らず良好な光ファイバの切断端部が得られ、また、光ファイバの被覆を除去することができる光ファイバ剥き折り部品および光ファイバ剥き折り方法を提供することにある。
【課題を解決するための手段】
【００１２】
本発明者は、上述した従来技術の問題点を解決すべく鋭意研究を重ねた。その結果、金属またはダイヤモンドの刃の代わりに、合成樹脂によって形成された刃を使用すると、光ファイバに刃を押し付けたときに、刃自体が変形して、所定の傷が光ファイバのクラッド表面部に付き、この光ファイバを、傷の付いた部位を傷と反対側に曲げると、カット面の状態が良く、接続する際に、所定の接続損失で接続でき、従って、操作者の熟練に頼らず容易に安定して光ファイバを切断することができることが判明した。
【００１３】
更に、光ファイバ切断刃とは別に被覆光ファイバを挟むように対応する２つの被覆除去刃を同様に樹脂材料で形成して、光ファイバ切断刃から所定間隔をあけて被覆除去刃を配置すると、上述した光ファイバ切断刃の動作と連係して、被覆除去刃によって被覆光ファイバの被覆の一部が切りとられて、傷の付いた部位を傷と反対側に曲げると、光ファイバが切断され、且つ、被覆が除去されることが判明した。
【００１４】
この発明は、上記研究結果に基づいてなされたものであって、この発明の光ファイバの剥き折り部品の第１の態様は、長手方向にのび被覆光ファイバを収容可能な溝部と、当該溝部内に一体的に設けられた光ファイバ切断刃、および該光ファイバ切断刃と間隔を隔てて前記溝部内に一体的に設けられた被覆除去刃と、中間部に屈折部とを備えた樹脂材料からなる第一部材と、
前記第一部材に対向して配置される、被覆ファイバを収容可能で前記第一部材の溝部に対応する溝部と、当該溝部内に一体的に設けられた前記第一部材の被覆除去刃と対応する被覆除去刃と、中間部に前記第一部材の屈折部と対応する屈折部とを備えた樹脂材料からなる第二部材とからなる光ファイバ剥き折り部品である。
【００１５】
この発明の光ファイバの剥き折り部品の第２の態様は、前記中間部の前記各屈折部が肉厚の小さい連結部からなっており、前記連結部によって第一部材の一方の部材および他方の部材、並びに、第二部材の一方の部材および他方の部材がそれぞれ連結されていることを特徴とする光ファイバ剥き折り部品である。
【００１６】
この発明の光ファイバの剥き折り部品の第３の態様は、前記連結部の厚さが、０．４から２．０ｍｍの範囲内である光ファイバ剥き折り部品である。
【００１７】
この発明の光ファイバの剥き折り部品の第４の態様は、前記第一部材および前記第二部材を対向配置したときに、前記第一部材および第二部材の各一方の部材における、前記光ファイバ切断刃と前記被覆除去刃の間に所定の空間部を備えていることを特徴とする光ファイバ剥き折り部品である。
【００１８】
この発明の光ファイバの剥き折り部品の第５の態様は、第一部材と第二部材の対向するそれぞれの対向面を当接させたときに、前記光ファイバ切断刃は、前記刃自体が変形するまで前記溝部に収納された光ファイバに押し付けられて前記光ファイバに傷をつける高さを有しており、前記第一部材および第二部材の各被覆除去刃の間隔は、前記光ファイバ心線の直径に概ね一致していることを特徴とする光ファイバ剥き折り部品である。
【００１９】
この発明の光ファイバの剥き折り部品の第６の態様は、前記樹脂材料が、エポキシ系、または、ＰＰＳ（ポリフェニレンサルファイド）系合成樹脂からなり、ガラスフィラー６０％以上を含有することを特徴とする光ファイバ剥き折り部品である。
【００２０】
この発明の光ファイバの剥き折り部品の第７の態様は、前記溝部がそれぞれ平らな底面、および、前記底面から傾斜した両側面からなっており、前記光ファイバ切断刃が前記溝部内に位置し、刃の頂部が前記第一部材の表面と概ね一致して形成されていることを特徴とする光ファイバ剥き折り部品である。
【００２１】
この発明の光ファイバの剥き折り部品の第８の態様は、前記溝部がそれぞれ平らな底面、および、前記底面から傾斜した両側面からなっており、前記光ファイバ切断刃が前記溝部内に位置し、刃の頂部が前記第二部材の溝部内に突出して形成されていることを特徴とする、光ファイバ剥き折り部品である。
【００２２】
この発明の光ファイバの剥き折り部品の第９の態様は、前記被覆除去刃の前記間隔が０．１２８から０．１４０ｍｍの範囲内であることを特徴とする光ファイバ剥き折り部品である。
【００２３】
この発明の光ファイバの剥き折り部品の第１０の態様は、前記光ファイバ切断刃および前記被覆除去刃の先端部の角度が１０から４５度の範囲内である光ファイバ剥き折り部品である。
【００２４】
この発明の光ファイバの剥き折り部品の第１１の態様は、前記第二部材の一方の部材が、他方の部材に対向する対向面側にテーパ部を備えていることを特徴とする光ファイバ剥き折り部品である。
【００２５】
この発明の光ファイバの剥き折り部品の第１２の態様は、前記光ファイバ切断刃および/または前記被覆除去刃が設けられていない前記第一部材および前記第二部材のそれぞれの部分の溝部内の対応する少なくとも１つの部位に、被覆光ファイバを保持する突起部を備えていることを特徴とする、光ファイバ剥き折り部品である。
【００２６】
この発明の光ファイバの剥き折り部品の第１３の態様は、前記突起部の高さが０．０１から０．０５ｍｍの範囲内であることを特徴とする、光ファイバ剥き折り部品である。
【００２７】
この発明の光ファイバの剥き折り部品の第１４の態様は、前記第二部材の溝部内における前記光ファイバ切断刃に対抗する部位に、ステージが設けられていることを特徴とする、光ファイバ剥き折り部品である。
【００２８】
この発明の光ファイバの剥き折り方法の第１の態様は、被覆光ファイバを収容可能な溝部と、当該溝部内に一体的に形成された光ファイバ切断刃および被覆除去刃と、中間部に屈折部とを備えた樹脂材料からなる第一部材と、被覆ファイバを収容可能で前記第一部材の溝部に対応する溝部と、当該溝部内に一体的に設けられた前記第一部材の被覆除去刃と対応する被覆除去刃と、中間部に前記第一部材の屈折部と対応する屈折部とを備えた樹脂材料からなる第二部材とを対向配置し、
前記溝部に被覆光ファイバを収容し、
前記中央部において、前記下部材と前記上部材を所定の力で押圧して、前記光ファイバ切断刃を、前記刃自体が変形するまで光ファイバに押し付けて前記光ファイバに傷をつけ、
前記屈折部において、前記光ファイバ切断刃によって傷が付いた光ファイバの部位に張力を付加して、傷と反対側に曲げて、光ファイバを切断し、同時に、前記被覆除去刃によって、光ファイバの被覆を除去する、光ファイバ剥き折り方法である。
【発明の効果】
【００２９】
この発明の光ファイバ剥き折り部品を用いて光ファイバを切断して光コネクタを組み立てて、屈折率整合剤を接続端面に塗布して接続したところ、１．０ｄＢ以下の接続損失を実現することができた。また、所定の長さにわたって被覆光ファイバの被覆を除去することができた。
【発明を実施するための最良の形態】
【００３０】
この発明の光ファイバ剥き折り部品および光ファイバ剥き折り方法を、図面を参照しながら説明する。
【００３１】
この発明の光ファイバの剥き折り部品の１つの態様は、長手方向にのび被覆光ファイバを収容可能な溝部と、当該溝部内に一体的に設けられた樹脂材料からなる光ファイバ切断刃、および該光ファイバ切断刃と間隔を隔てて前記溝部内に一体的に設けられた樹脂材料からなる光ファイバ切断刃および被覆除去刃と、中央部に屈折部とを備えた樹脂材料からなる下部材と、下部材に対向して配置される、被覆ファイバを収容可能で前記下部材の溝部に対応する溝部と、溝部内に一体的に設けられた前記下部材の被覆除去刃と対応する被覆除去刃と、中央部に前記下部材の屈折部と対応する屈折部とを備えた樹脂材料からなる上部材とからなる光ファイバ剥き折り部品である。尚、上下各部材に形成されているそれぞれの刃は、上下各部材を樹脂材料でそれぞれ成形する際、一体成形して形成することができる。
【００３２】
図１は、この発明の光ファイバ剥き折り部品を示す斜視図である。図２は図１に示す第一部材（即ち、下部材）と第二部材（即ち、上部材）を分解した図である。図２（ａ）は下部材を示す斜視図である。図２（ｂ）は上部材を示す斜視図である。図２（ｃ）は、図２（ａ）の端部の部分拡大図である。
【００３３】
図１に示すように、この発明の光ファイバ剥き折り部品１は、樹脂材料からなる下部材２、および、樹脂材料からなる上部材３を備えている。下部材２は一方の部材（即ち、左下部材）２ａおよび他方の部材（即ち、右下部材）２ｂからなっており、上部材３は一方の部材（即ち、左上部材）３ａおよび他方の部材（右上部材）３ｂからなっている。上部材および下部材には、それぞれ、対向する面に光ファイバを収納する溝部４とこの溝部４の端部に略円錐を半割りにした形状に形成された光ファイバ挿入部４−１ａ、４−２ａを備えている。
【００３４】
なお、図２（ｃ）に拡大して示すように、この光ファイバ挿入部４ａは、後述する右下部材および右上部材の端部に設けられ、各部材を対向配置したときに略円錐状に形成される。さらに上部材の中央部にテーパ部を有する屈折部５を備えている。テーパ部は図６を参照して後述するように、左側部材の折り曲げ操作を容易にする。
【００３５】
図２（ａ）に示すように、下部材の上表面中央部に長手方向にそって被覆光ファイバが収納される溝部４−１が形成されている。下部材の中央部の溝部内には（図示しない）光ファイバのクラッド表面部に傷をつける樹脂材料の光ファイバ切断刃および被覆光ファイバの被覆を除去する被覆除去刃が一体的に形成されている。図２（ｂ）に示すように樹脂材料で形成された上部材は中央部の表面部にテーパ部を有する屈折部を備えている。上部材の下部材と対向する面に図２（ａ）に示した溝部と対応する溝部４−２が形成されている。上部材の溝部内には、（図示しない）被覆光ファイバの被覆を除去する樹脂材料で形成された被覆除去刃が一体的に形成されている。
【００３６】
光ファイバ切断刃および被覆除去刃は、何れも、被覆光ファイバ４の軸方向に対して、樹脂材料の刃が直角に当る。尚、上部材３の両端部には突部３ｃが設けられ、下部材２の上部材３との対向面４隅には、前記上部材３の突部と係合する係合柱２ｃが突出して設けられている。前記各突部をそれぞれの係合柱間に係合させて上部材３と下部材２とを対向配置すると、上部材３と下部材２とは係合柱の高さの範囲内で相対的に近づいたり離れたりして自由に移動することができる。
【００３７】
下部材、上部材、光ファイバ切断刃および被覆除去刃は、何れも樹脂材料からなっており、これらを形成する樹脂材料が、エポキシ系、または、ＰＰＳ（ポリフェニレンサルファイド）系合成樹脂からなっており、例えば、広く使用されているフェルール用の合成樹脂を用いることができる。また、前記合成樹脂にガラスフィラーを混入したものを用いることもできる。この場合、光ファイバ切断刃は、光ファイバ（被覆が無い状態の光ファイバ）に押し付けられ変形した際、樹脂に含有されるガラスフィラーが前記光ファイバのクラッド表面に押し付けられクラッド表面部に所定の傷を付けることができる。尚、ガラスファイラーを６０％以上含有させると、光ファイバのクラッド表面部に常に良好な傷を付けることができ、光ファイバのカット面の状態も良く、接続損失をさらに抑えて光接続をすることができる。
【００３８】
図３は、この発明の光ファイバ剥き折り部品を説明する概略断面図である。図４は、下部材および上部材に形成された溝部と光ファイバ切断刃および被覆除去刃との関係を説明する断面図である。
【００３９】
図３に示すように、下部材および上部材の中央部の屈折部が肉厚の小さい連結部７からなっており、連結部７によって左下部材２ａおよび右下部材２ｂ、並びに、左上部材３ａおよび右上部材３ｂがそれぞれ連結されている。更に、左下部材２ａおよび左上部材３ａには光ファイバを挟んで空間部８が形成されている。空間部は概ね光ファイバ切断刃と被覆除去刃との間に形成されている。
【００４０】
図５は、図３に点線の丸で示すＡの部分の拡大図である。図５を参照して、光ファイバ切断刃および被覆除去刃を詳細に説明する。図５に示すように、左下部材２ａには光ファイバ切断刃９と、被覆除去刃１０−１が設けられている。左上部材３ａには被覆除去刃１０−１に対応する位置に被覆除去刃１０−２が設けられている。即ち、光ファイバ切断刃９は左下部材のみに設けられており、被覆除去刃よりも光ファイバの中心に対して深い位置まで突出して形成されている。
【００４１】
一方被覆除去刃は左下部材および左上部材のそれぞれ対応する位置に被覆光ファイバを挟むように設けられている。なお、上述したように、空間部８が光ファイバ切断刃と被覆除去刃との間にわたって、左下部材および左上部材に形成されている。空間部は、光ファイバのクラッド表面部に光ファイバ切断刃で傷をつけ、被覆除去刃で被覆光ファイバの被覆に切り込んだ後、光ファイバの曲げ位置をずらし、光ファイバが左部材および右部材の接合部で折れるのを防止する機能を備えている。
【００４２】
上下の被覆除去刃の間の間隔ｂは、上部材３と下部材２の対向する各対向面を当接させたときに、０．１２８ｍｍから０．１４０ｍｍの範囲内である。間隔ｂが０．１２８ｍｍ未満の場合には、光ファイバのクラッドに傷がつく可能性がある。間隔ｂが０．１４０ｍｍを超える場合には、被覆の除去ができない恐れがある。連結部の厚さａは、０．４ｍｍから２．０ｍｍの範囲内である。連結部の厚さａが０．４ｍｍ未満では、意図しない段階で操作途中に折れてしまう可能性がある。連結部の厚さａが２．０ｍｍを超えると折れ難くなり操作が困難になる恐れがある。
【００４３】
図４に示すように、下部材に形成された溝部４−１と上部材に形成された溝部４−２が対向して配置される。溝部４−１の中には、被覆除去刃１０−１および光ファイバ切断刃９が下部材と一体的に形成されている。更に、溝部４−２の中には、被覆除去刃１０−２が上部材と一体的に形成されている。光ファイバ切断刃９は、被覆光ファイバに押し付けられると被覆を突き破り、樹脂材料は、例えば石英ガラス等からなる光ファイバよりも柔らかいので、樹脂材料の刃９の先端部自体が変形して光ファイバ６のクラッド表面に押し付けられる。刃９が押し付けられたときに、光ファイバのクラッド表面部に傷がつく。このように、樹脂材料の刃は光ファイバに押し付けられるだけで、水平方向に引いたり押したり、あるいは、回転させることなく光ファイバのクラッド表面部に傷を付けることができる。
【００４４】
被覆除去刃１０も同様に樹脂材料で形成されているが、例えば石英ガラス等からなる光ファイバに較べると被覆は柔らかいので、刃１０を被覆光ファイバ押し付けると光ファイバのクラッドに傷を付けることなく、被覆に切り込んでいく。
【００４５】
光ファイバ切断刃９、被覆除去刃１０は、何れも刃の先端部の角度αは、１０から４５度の範囲内である。刃の先端部の角度αが１０度未満のときは、光ファイバ切断刃として必要な強度を確保することが困難であり、また、刃が折れ易く、成形が困難である。刃の先端部の角度αが４５度を超えると、光ファイバのクラッド表面に刃を押し当てても、光ファイバのクラッドに傷をつけることができず、光ファイバを切断することができない、また、被覆への切り込みも不十分である。なお、傷が付けられた部分と反対側に向かって光ファイバ６を曲げて劈開し、被覆を除去する。
【００４６】
この発明の光ファイバ剥き折り部品の１つの態様においては、光ファイバ切断刃および/または被覆除去刃が設けられていない第一部材および第二部材のそれぞれの部分の溝部内の対応する少なくとも１つの部位に、被覆光ファイバを保持する突起部を備えている。
【００４７】
図６は、溝部内に形成された突起部を説明する断面図である。図６（a）は被覆光ファイバを収容しないで第一部材と第二部材とを対向配置した状態を示す断面図である。図６(b)は被覆光ファイバを収容して、第一部材と第二部材とを対向配置した状態を示す断面図である。図６(a)に示すように、対向配置された第一部材２と、第二部材３の溝部４内の対応する部位に略ドーム状の先端部が丸くなった突起部１１−１、１１−２が設けられている。図６(b)に示すように、突起部１１−１、１１−２は溝部内に収容された被覆光ファイバの外周面の一部を押圧して、被覆光ファイバを保持しその場に固定する。少なくとも１対の突起部が第一部材、第二部材の溝部内に一体的に形成される。従って、所定の間隔を隔てて複数対形成されてもよい。
【００４８】
突起部の位置は、第一部材、第二部材の溝部内のそれぞれ対応する位置が好ましい。このように突起部を設けることによって、光ファイバ切断刃、被覆除去刃が存在しない方の部材において、被覆光ファイバを溝部内により確実に保持することがきるので、光ファイバの切断、被覆の除去に際して、溝部内で被覆光ファイバの位置にズレが生じることなく、光ファイバの剥き折りが容易になる。
突起部の高さは、溝部の底面から０．０１から０．０５ｍｍの範囲内である。突起部の高さが０．０１ｍｍ未満では溝部内における被覆光ファイバのより確実な保持が不十分であり、効果が期待できない。一方、突起部の高さが０．０５ｍｍを超えると、第一部材と第二部材の対向面を当接しにくくなるため被覆光ファイバが溝部内で不安定な状態になり、被覆光ファイバの保持が不十分である。
【００４９】
この発明の光ファイバ剥き折り部品の１つの態様においては、溝部がそれぞれ平らな底面、および、底面から傾斜した両側面からなっており、前記光ファイバ切断刃が溝部内に位置し、刃の頂部が第二部材の溝部内に突出して形成されている。
図７(a)は、光ファイバ切断刃の頂き部が第二部材の溝部内に突出した状態を説明する図である。図７（a）に示すように、第一部材２の溝部４−１内に一体的に形成された光ファイバ切断刃９の頂き部が第一部材の表面（図中、点線で示す）よりも上方に突出して第二部材の溝部内に位置している。このように光ファイバ切断刃を第二部材の溝部内に突出させることによって、切断刃が光ファイバにより確実に押し付けられ、切断がより容易かつ確実になる。
【００５０】
この発明の光ファイバ剥き折り部品の１つの態様においては、第二部材の溝部内における光ファイバ切断刃に対向する部位に、ステージが設けられている。図７（ｂ）は光ファイバ切断刃に対向する溝部内の部位に設けられたステージを説明する図である。上述した態様においては、光ファイバ切断刃の頂き部分を対向する溝部内に突出させることによって、刃の頂部分と光ファイバとの間の距離を短くして、光ファイバ切断刃が光ファイバに確実に押し付けられるようにした。この態様においては、第二部材の溝部内にステージを設けて、相対的に刃の頂部と光ファイバとの間の距離を短くして、光ファイバ切断刃が光ファイバに確実に押し付けられるようにしている。図７(b)に示すように、溝部４−１内に光ファイバ切断刃９が一体的に形成された第一部材２に対向配置される第二部材３の溝部４−２内の、光ファイバ切断刃９に対応する部位にステージ１２が設けられている。この場合には、光ファイバ切断刃９の頂部は第一部材２の表面と概ね一致して形成される。ステージ１２は表面が平らな矩形の部材で第二部材３と一体的に形成されてもよい。ステージ１２の表面は被覆光ファイバの外周と対応する形状の凹状であってもよい。このようにステージを設けることによって、相対的に刃の頂部と光ファイバとの間の距離を短くして、光ファイバ切断刃が光ファイバにより確実に押し付けられる。
【００５１】
次に、光ファイバ剥き折り方法について説明する。
【００５２】
この発明の光ファイバ剥き折り方法は、次のステップからなっている。
【００５３】
即ち、被覆光ファイバを収容可能な溝部と、溝部内に一体的に形成された樹脂材料からなる光ファイバ切断刃および被覆除去刃と、中央部に屈折部とを備えた樹脂材料からなる下部材と、被覆ファイバを収容可能で前記下部材の溝部に対応する溝部と、溝部内に一体的に設けられた前記下部材の被覆除去刃と対応する被覆除去刃と、中央部に前記下部材の屈折部と対応する屈折部とを備えた樹脂材料からなる上部材とを対向配置し、
溝部に被覆光ファイバを収容し、
中央部において、下部材と上部材を所定の力で押圧して、光ファイバ切断刃を、刃自体が変形するまで光ファイバに押し付けて光ファイバに傷をつけ、
屈折部において、光ファイバ切断刃によって傷が付いた光ファイバの部位に張力を付加して、傷と反対側に曲げて、光ファイバを切断し、同時に、被覆除去刃によって、光ファイバの被覆を除去する。
【００５４】
図８を参照して、この発明の光ファイバ剥き折り方法を説明する。
図８（ａ）に示すように、下部材と上部材のそれぞれ溝部４が形成された面を対向させた状態で係合し、溝部４の端部に形成された光ファイバ挿入部から下部材と上部材の溝部に単心の被覆された光ファイバを先端が光ファイバ切断刃を超える位置まで挿入する。そして、下部材と上部材間に挟み込んで被覆光ファイバを光ファイバ剥き折り部品１に装着する。
【００５５】
この状態で、図に示すように親指と人差し指で下部材と上部材の各部材を押えて、さらに図中の左側の部材である左下部材および左上部材の光ファイバ切断刃および被覆除去刃に対応する部分を指で押圧して下部材と上部材の各対向面を当接させる。このとき、光ファイバ切断刃９は被覆光ファイバの被覆を突き破り光ファイバのクラッド表面に当接し変形してクラッド表面部に傷を付け、被覆除去刃１０は被覆光ファイバの被覆を切り込んで被覆に食い込む。
【００５６】
次いで、図８（ｂ）に示すように、光ファイバ切断刃が傷をつけた部位と反対側（即ち、図中では上方向）に手折りを加える。この段階で、左側部材と右側部材の連結部において、光ファイバの被覆が除去されて裸ファイバが露出している。図８（ｃ）から図８（ｅ）にかけて更に折り曲げていく。この段階で、光ファイバ切断刃によって傷付けられた部位で光ファイバが切断される。図８（ｆ）の段階で、切断された光ファイバが開放されて、図８（ｇ）に示すように、被覆が除去されて裸ファイバが露出した状態になる。
【００５７】
このように被覆を除去し、且つ、光ファイバ切断刃を用いて切断された光ファイバを使用して光コネクタを組み立てて、屈折率整合剤を接続端面に塗布して接続したところ、１．０ｄＢ以下の接続損失を実現することができた。
【００５８】
本発明によれば、下部材と上部材を指で押さえて所定の力で押圧して作業を行うことができるので、人手により簡単に被覆光ファイバの端末部を処理することができる。また、特別な工具を用いずに処理することができる。
更に、刃を光ファイバの長手方向軸線に対して垂直な方向（水平方向）に移動させることはないので、誰でも簡単に光ファイバに傷をいれて切断することができる。
【００５９】
この発明によると、樹脂材料で光ファイバ切断刃および被覆除去刃を一体的に成形するので、コストを低減することができる。また、何れの刃も樹脂材料で成形されているため従来のものと比べ低コストであるので、刃が形成されている部材は使用後捨ててしまってもよい。
また、この発明は被覆を除去する前の被覆光ファイバに適用されるので、この場合、切断後不要となる光ファイバは被覆のある被覆光ファイバであるため、例えば、視認が難しい裸ファイバ（被覆光ファイバの被覆が除去されたもの）が手に突き刺さってケガをすることを防止すこともできる。
【産業上の利用可能性】
【００６０】
この発明によると、例えば暗闇の中のような作業条件の悪いところでも安定して操作することができ、操作者の熟練に依らず、被覆が除去された良好な光ファイバの切断端部が得られる光ファイバ剥き折り部品および光ファイバ剥き折り方法を提供することができ、産業上利用価値が高い。
【図面の簡単な説明】
【００６１】
【図１】図１は、この発明の光ファイバ剥き折り部品を示す斜視図である。
【図２】図２は図１に示す下部材と上部材を分解した図である。図２（ａ）は下部材を示す斜視図である。図２（ｂ）は上部材を示す斜視図である。
【図３】図３は、この発明の光ファイバ剥き折り部品を説明する概略断面図である。
【図４】図４は、下部材および上部材に形成された溝部と光ファイバ切断刃および被覆除去刃との関係を説明する断面図である。
【図５】図５は、図３に点線の丸で示すＡの部分の拡大図である。
【図６】図６は、溝部内に形成された突起部を説明する図である。
【図７】図７(a)は光ファイバ切断刃の頂き部が第二部材の溝部内に突出した状態を説明する図である。図７（ｂ）は、光ファイバ切断刃に対抗する溝部内の部位に設けられたステージを説明する図である。
【図８】図８は、この発明の光ファイバ剥き折り方法を説明する図である。
【図９】図９は、従来の光ファイバ切断器を示す斜視図である。
【符号の説明】
【００６２】
１  光ファイバ剥き折り部品
２  下部材
２ａ  左下部材
２ｂ  右下部材
２ｃ  係合柱
３  上部材
３ａ  左上部材
３ｂ  右上部材
３ｃ  突部
４、４−１  溝部
４−１ａ、４−２ａ光ファイバ挿入部
５  屈曲部
６  光ファイバ
７  連結部
８  空間部
９  光ファイバ切断刃
１０、１０−１、１０−２  被覆除去刃
１１−１、１１−２  突起部
１２  ステージ
【図６】
2007156386.tif 000003
【図７】
2007156386.tif 000004
【図１】
2007156386.tif 000005
【図２】
2007156386.tif 000006
【図３】
2007156386.tif 000007
【図４】
2007156386.tif 000008
【図５】
2007156386.tif 000009
【図８】
2007156386.tif 000010
【図９】
2007156386.tif 000011